(57)【要約】      （修正有）【課題】分離型生体電気インピーダンス認識装置を提供する。【解決手段】制御モジュールは、制御シェル２０と、制御シェル２０の内部に設けられた制御処理回路とを含み、制御シェル２０は、制御シェル２０から外に部分的に露出される導電ストリップ２０１を設けられ、導電ストリップ２０１は、制御処理回路に電気的に接続され、検出モジュールは、検出シェル２３と、検出シェル２３の１つの端部に埋め込まれたプローブと、検出シェル２３の他の端部に埋め込まれた電源と、シェルから外に部分的に露出された導電針群２３３とを含み、制御シェル２０は、検出シェル２３に取り外し可能に接続され、制御シェル２０が検出シェル２３に固定接続されると、導電針群２３３は、導電ストリップ２０１に当接し、及び制御シェル２０が検出シェル２３から切り離されると、導電針群２３３は、導電ストリップ２０１から切り離される。【選択図】図３
0003226058.tif 000002
【実用新案登録請求の範囲】
【請求項１】
分離型生体電気インピーダンス認識装置であって、
制御シェル（２０）と、前記制御シェル（２０）の内部に配置された制御処理回路（２１）とを含む制御モジュール（１）であって、前記制御シェル（２０）は、該制御シェルから外に部分的に露出され且つ前記制御処理回路（２１）に電気的に接続される導電ストリップ（２０１）を設けられる、制御モジュール（１）と、
取り外し可能な接続方式で前記制御モジュール（１）に固定接続される検出モジュール（２）であって、検出シェル（２３）と、前記検出シェル（２３）の一端部に埋め込まれたプローブ（２３１）と、前記検出シェル（２３）の他端部に埋め込まれた電源（２３２）とを含む、検出モジュール（２）と
を含み、
前記プローブ（２３１）は、電気インピーダンス特性の信号を収集するように、前記検出シェル（２３）から外に部分的に露出され、
前記検出シェル（２３）は、前記プローブ（２３１）の外側に覆設されるように、該検出シェル（２３）の中に前記プローブ（２３１）を受け入れる収容チャンバを有し、且つ前記検出シェル（２３）の前記プローブ（２３１）から離れた端部において、前記電源（２３２）を受け入れる電源収容チャンバを有し、
前記検出シェル（２３）は、前記電源（２３２）を設けられた端部のシェルに導電針群（２３３）を設けられ、前記導電針群（２３３）は、前記シェルから外に部分的に露出され、及び前記導電針群（２３３）の１つの端部は、前記電源（２３２）に電気的に接続され、
前記制御シェル（２０）は、取り外し可能な接続方式で前記検出シェル（２３）に固定接続され、前記制御シェル（２０）が前記検出シェル（２３）に固定接続されると、前記導電針群（２３３）は、前記導電ストリップ（２０１）に当接し、前記制御シェル（２０）が前記検出シェル（２３）から切り離されると、前記導電針群（２３３）は、前記導電ストリップ（２０１）から切り離される、分離型生体電気インピーダンス認識装置。
【請求項２】
前記取り外し可能な接続は、スナップ式接続、横挿入接続、ねじ式接続の中の１つである、請求項１に記載の装置。
【請求項３】
前記制御シェル（２０）と前記検出シェル（２３）との間の前記取り外し可能な接続として前記スナップ式接続が使用される場合、
前記制御シェル（２０）は、前記検出シェル（２３）に接続される前記制御シェル（２０）の端部に突起（２０２）を設けられ、
前記検出シェル（２３）は、前記制御シェル（２０）に接続される前記検出シェル（２３）の端部に溝（２３４）を設けられ、
前記溝（２３４）は、前記突起（２０２）が前記溝（２３４）に挿入され得るように大きさにおいて前記突起（２０２）に合わされ、
前記導電針群（２３３）は、前記溝（２３４）の底部に配置され、前記導電ストリップ（２０１）は、前記突起（２０２）の上端に配置され、及び前記導電針群（２３３）の配置位置は、前記突起（２０２）が前記溝（２３４）に挿入されると、前記導電針群（２３３）が前記導電ストリップ（２０１）に当接することができるように前記導電ストリップ（２０１）の前記配置に合わされ、
前記制御シェル（２０）は、前記検出シェル（２３）に接続される端部で前記制御シェル（２０）の周囲にスナップスロット（２０３）を設けられ、
前記検出シェル（２３）は、前記制御シェル（２０）に接続される端部で前記検出シェル（２３）の周囲にスナップ爪（２３５）を設けられ、及び
前記スナップ爪（２３５）は、前記スナップ爪（２３５）が前記スナップスロット（２０３）と係合され得るように形状及び大きさにおいて前記スナップスロット（２０３）に合わされる、請求項２に記載の装置。
【請求項４】
前記制御シェル（２０）と前記検出シェル（２３）との間の前記取り外し可能な接続として前記横挿入接続が使用される場合、
前記制御シェル（２０）は、前記検出シェル（２３）に接続される前記制御シェル（２０）の端部にスライドレール（２０４）を設けられ、
前記検出シェル（２３）は、前記制御シェル（２０）に接続される前記検出シェル（２３）の端部にスライドレールスロット（２３６）を設けられ、
前記スライドレール（２０４）は、前記スライドレール（２０４）が前記スライドレールスロット（２３６）にスナップ式に嵌め込まれ得るように大きさ及び形状において前記スライドレールスロット（２３６）に合わされ、
前記導電針群（２３３）は、前記スライドレールスロット（２３６）の底部に配置され、及び前記導電ストリップ（２０１）は、前記スライドレール（２０４）の上部に配置され、前記導電針群（２３３）の配置位置は、前記スライドレール（２０４）が前記スライドレールスロット（２３６）に挿入されると、前記導電針群（２３３）が前記導電ストリップ（２０１）に当接することができるように前記導電ストリップ（２０１）の前記配置に合わされ、及び
前記スライドレールスロット（２３６）は、その１つの端部にスナップ爪（２３５）を設けられ、及び前記スライドレール（２０４）は、その１つの端部にスナップスロット（２０３）を設けられ、前記スナップ爪（２３５）は、前記スナップ爪（２３５）が前記スナップスロット（２０３）と係合され得るように形状、大きさ及び位置において前記スナップスロット（２０３）に合わされる、請求項２に記載の装置。
【請求項５】
前記制御シェル（２０）と前記検出シェル（２３）との間の前記取り外し可能な接続として前記ねじ式接続が使用される場合、
前記制御シェル（２０）は、前記検出シェル（２３）に接続される前記制御シェル（２０）の端部に環状突起（２０５）を設けられ、
前記検出シェル（２３）は、前記制御シェル（２０）に接続される前記検出シェル（２３）の端部に環状溝（２３７）を設けられ、
前記環状突起（２０５）は、その外壁に雌ねじ（２０６）を設けられ、及び前記環状溝（２３７）は、その外壁に雄ねじ（２３８）を設けられ、前記雌ねじ（２０６）は、前記環状突起（２０５）が前記環状溝（２３７）と螺合され得るように前記雄ねじ（２３８）に合わされ、
前記導電針群（２３３）は、前記環状溝（２３７）の中央に配置され、及び前記環状導電ストリップ（２０１）は、前記環状突起（２０５）の中央に配置され、前記導電針群（２３３）の配置位置は、前記環状突起（２０５）が前記環状溝（２３７）と螺合されると、前記導電針群（２３３）が前記導電ストリップ（２０１）に当接することができるように前記導電ストリップ（２０１）の前記配置に合わされる、請求項２に記載の装置。
【請求項６】
前記検出シェル（２３）は、電源シェル（２４）及びプローブシェル（２５）を含み、前記電源（２３２）は、前記電源シェル（２４）内に配置され、前記電源シェル（２４）は、前記電源シェル（２４）から外に部分的に露出される導電ドット（２４０）を設けられ、及び前記導電ドット（２４０）は、前記電源（２３２）に電気的に接続され、
前記プローブシェル（２５）は、前記電源シェル（２４）に接続される前記プローブシェル（２５）の端部において、前記プローブシェル（２５）から外に部分的に露出される導電針（２５０）を設けられ、前記導電針（２５０）の１つの端部は、前記プローブ（２３１）に電気的に接続され、
前記プローブシェル（２５）は、取り外し可能な接続方式で前記電源シェル（２４）に固定接続され、前記プローブシェル（２５）が前記電源シェル（２４）に固定接続されると、前記導電針（２５０）は、前記導電ドット（２４０）に当接し、前記プローブシェル（２５）が前記電源シェル（２４）から切り離されると、前記導電針（２５０）は、前記導電ドット（２４０）から切り離される、請求項１〜５のいずれか一項に記載の装置。
【請求項７】
前記接続は、スナップ式接続、横挿入接続、ねじ式接続の中の１つである、請求項６に記載の装置。
【請求項８】
前記電源シェル（２４）と前記プローブシェル（２５）との間の前記取り外し可能な接続として前記スナップ式接続が使用される場合、
前記電源シェル（２４）は、前記プローブシェル（２５）に接続される前記電源シェル（２４）の端部に突起（２０２）を設けられ、
前記プローブシェル（２５）は、前記電源シェル（２４）に接続される前記プローブシェル（２５）の端部に溝（２３４）を設けられ、
前記溝（２３４）は、前記突起（２０２）が前記溝（２３４）に挿入され得るように大きさにおいて前記突起（２０２）に合わされ、
前記導電針（２５０）は、前記溝（２３４）の前記底部に配置され、前記導電ドット（２４０）は、前記突起（２０２）の前記上端に配置され、及び前記導電針（２５０）の配置位置は、前記突起（２０２）が前記溝（２３４）に挿入されると、前記導電針（２５０）が前記導電ドット（２４０）に当接することができるように前記導電ドット（２４０）の前記配置に合わされ、及び
前記溝（２３４）は、その上端で前記溝（２３４）の周囲にスナップ爪（２３５）を設けられ、及び前記突起（２０２）は、前記突起（２０２）の後端にスナップスロット（２０３）を設けられ、前記スナップ爪（２３５）は、前記スナップ爪（２３５）が前記スナップスロット（２０３）と係合され得るように大きさ及び形状において前記スナップスロット（２０３）に合わされる、請求項７に記載の装置。
【請求項９】
前記電源シェル（２４）と前記プローブシェル（２５）との間の前記取り外し可能な接続として前記横挿入接続が使用される場合、
前記電源シェル（２４）は、前記プローブシェル（２５）に接続される前記電源シェル（２４）の端部にスライドレール（２０４）を設けられ、
前記プローブシェル（２５）は、前記電源シェル（２４）に接続される前記プローブシェル（２５）の端部にスライドレールスロット（２３６）を設けられ、
前記スライドレールスロット（２３６）は、前記スライドレール（２０４）が前記スライドレールスロット（２３６）に挿入され得るように大きさ及び位置において前記スライドレール（２０４）に合わされ、
前記導電針（２５０）は、前記スライドレールスロット（２３６）の中央に配置され、及び前記導電ドット（２４０）は、前記スライドレール（２０４）の中央に配置され、前記導電針（２５０）の配置位置は、前記スライドレール（２０４）が前記スライドレールスロット（２３６）に挿入されると、前記導電針（２５０）が前記導電ドット（２４０）に当接することができるように前記導電ドット（２４０）の配置位置に合わされ、及び
前記スライドレールスロット（２３６）は、その１つの端部にスナップ爪（２３５）を設けられ、及び前記スライドレール（２０４）は、その後端にスナップスロット（２０３）を設けられ、前記スナップ爪（２３５）は、前記スナップ爪（２３５）が前記スナップスロット（２０３）と係合され得るように形状、大きさ及び位置において前記スナップスロット（２０３）に合わされる、請求項７に記載の装置。
【請求項１０】
前記電源シェル（２４）と前記プローブシェル（２５）との間の前記取り外し可能な接続として前記ねじ式接続が使用される場合、
前記電源シェル（２４）は、前記プローブシェル（２５）に接続される前記電源シェル（２４）の端部に溝（２３４）を設けられ、
前記プローブシェル（２５）は、前記電源シェル（２４）に接続される前記プローブシェル（２５）の端部に突起（２０２）を設けられ、
前記突起（２０２）は、その外周に雌ねじ（２０６）を設けられ、及び前記溝（２３４）は、その壁に雄ねじ（２３８）を設けられ、前記雌ねじ（２０６）は、前記突起（２０２）が前記溝（２３４）と螺合され得るように前記雄ねじ（２３８）に合わされ、前記導電針（２５０）は、前記突起（２０２）の上部に配置され、前記導電ドット（２４０）は、前記溝（２３４）の前記底部に配置され、及び前記導電針（２５０）の配置位置は、前記突起（２０２）が前記溝（２３４）に螺入されると、前記導電針（２５０）が前記導電ドット（２４０）に当接することができるように前記導電ドット（２４０）の前記配置に合わされる、請求項７に記載の装置。
【考案の詳細な説明】
【技術分野】
【０００１】
技術分野
本開示は、医療装置の技術分野に関し、より詳細には、分離型生体電気インピーダンス認識装置に関する。
【背景技術】
【０００２】
背景
従来技術では、手術、特に脊柱手術及び神経外科手術において椎弓切除後に脊柱を固定する必要がある。執刀医により、固定のために使用される埋込ねじを椎弓根に沿って椎体に挿入する必要がある。この手術は、通常、ブラインド作業であり、手術が成功できるか又はできないかは、執刀医の経験に依存する。挿入位置のずれのため、脊椎管に入ったねじによって引き起こされる医療事故がときに発生する。
【０００３】
ねじの観察に寄与する２つの方法があり、一方は、手術中のＸ線透視を用いてねじの位置を観察することであるが、この種の観察は、患者に放射線障害をもたらすことがあり、頻繁に使用できないという欠点を有し、他方は、誘発電位装置により、ねじによる神経根の閉鎖を検出し、ねじの方向がずれているかどうかをさらに測定することであるが、この方法は、術前準備時間が比較的長く、測定精度が不十分であり、また、誘発電位装置は比較的高価であり、すべての病院手術室での標準装備ではないという欠点を有する。
【０００４】
従来の生体電気インピーダンス技術に基づく認識装置は、上記の２つの方法の欠点を効果的に回避でき、より速く、より安全ではあるが、この製品は、図１に示すように、大半が単一体として設計される。装置は、バッテリ駆動式の電子装置であるため、製品の使用後に清浄及び消毒することが容易ではなく、そのため使い捨て製品とすることしかできず、これは、大きい無駄をもたらすだけでなく、手術のコストも上げる。
【考案の概要】
【考案が解決しようとする課題】
【０００５】
概要
本開示の一実装形態の目的は、分離型生体電気インピーダンス認識装置を提供することである。
【課題を解決するための手段】
【０００６】
本開示の一態様によれば、本開示は、分離型生体電気インピーダンス認識装置であって、制御モジュール及び検出モジュールを含み、制御モジュールは、制御シェルと、制御シェルの内部に配置された制御処理回路とを含み、制御シェルは、制御シェルから外に部分的に露出され、且つ制御処理回路に電気的に接続される導電ストリップを設けられ、検出モジュールは、取り外し可能な接続方式で制御モジュールに固定接続され、検出モジュールは、検出シェルと、検出シェルの１つの端部に埋め込まれたプローブと、検出シェルの他の端部に埋め込まれた電源とを含み、プローブは、検出シェルから外に部分的に露出され、且つ電気インピーダンス特性の信号を収集するために使用され、検出シェルは、その中にプローブを受け入れる収容チャンバを有して、プローブの外側に覆設され、且つプローブから離れた検出シェルの端部において、電源を受け入れるための電源収容チャンバを有し、検出シェルは、電源を設けられた端部のシェルに導電針群を設けられ、導電針群は、シェルから外に部分的に露出され、且つ１つの端部で電源に電気的に接続され、制御シェルは、取り外し可能な接続方式で検出シェルに固定接続され、制御シェルが検出シェルに固定接続されると、導電針群は、導電ストリップに当接し、及び制御シェルが検出シェルから切り離されると、導電針群は、導電ストリップから切り離される、分離型生体電気インピーダンス認識装置を提供する。
【０００７】
さらに、装置の取り外し可能な接続は、スナップ式接続、横挿入接続又はねじ式接続の１つである。
【０００８】
さらに、装置がシェルと接続ロッドとの間の取り外し可能な接続としてスナップ式接続を使用する場合、制御シェルは、検出シェルに接続される制御シェルの端部に突起を設けられ、検出シェルは、制御シェルに接続される検出シェルの端部に溝を設けられ、その溝は、突起が溝に挿入され得るように大きさにおいて突起に合わされ、導電針群は、溝の底部に配置され、導電ストリップは、突起の上端に配置され、及び導電針群の配置位置は、突起が溝に挿入されると、導電針群が導電ストリップに当接することができるように導電ストリップの配置に合わされ、スナップスロットは、検出シェルに接続される制御シェルの端部で制御シェルの周囲に設けられ、スナップ爪は、制御シェルに接続される検出シェルの端部で検出シェルの周囲に設けられ、及びスナップ爪は、スナップ爪がスナップスロットと係合され得るように形状及び大きさにおいてスナップスロットに合わされる。
【０００９】
さらに、装置がシェルと接続ロッドとの間の取り外し可能な接続として横挿入接続を使用する場合、制御シェルは、検出シェルに接続される制御シェルの端部にスライドレールを設けられ、検出シェルは、制御シェルに接続される検出シェルの端部にスライドレールスロットを設けられ、そのスライドレールは、スライドレールがスライドレールスロットにスナップ式に嵌め込まれ得るように形状及び大きさにおいてスライドレールスロットに合わされ、導電針群は、スライドレールスロットの底部に配置され、及び導電ストリップは、スライドレールの上部に配置され、導電針群の配置位置は、スライドレールがスライドレールスロットに挿入されると、導電針群が導電ストリップに当接することができるように導電ストリップの配置に合わされる。スナップ爪は、スライドレールスロットの１つの端部に設けられ、及びスナップスロットは、スライドレールの１つの端部に設けられ、スナップ爪は、スナップ爪がスナップスロットと係合され得るように形状、大きさ及び位置においてスナップスロットに合わされる。
【００１０】
さらに、装置がシェルと接続ロッドとの間の取り外し可能な接続としてねじ式接続を使用する場合、制御シェルは、検出シェルに接続される制御シェルの端部に環状突起を設けられ、検出シェルは、制御シェルに接続される検出シェルの端部に環状溝を設けられ、雌ねじは、環状突起の外壁に設けられ、及び雄ねじは、環状溝の外壁に設けられ、雌ねじは、環状突起が環状溝と螺合され得るように雄ねじに合わされ、導電針群は、環状溝の中央に配置され、環状の導電ストリップは、環状突起の中央に配置され、及び導電針群の配置位置は、環状突起が環状溝に螺入されると、導電針群が導電ストリップに当接することができるように導電ストリップの配置に合わされる。
【００１１】
本開示の別の態様によれば、装置の検出シェルは、電源シェル及びプローブシェルを含み、電源は、電源シェル内に設けられ、電源シェルは、電源シェルから外に部分的に露出される導電ドットを設けられ、及び導電ドットは、電源に電気的に接続される。プローブシェルは、電源シェルに接続されるプローブシェルの端部において、プローブシェルから外に部分的に露出される導電針を設けられ、及び導電針は、プローブの１つの端部に電気的に接続される。
【００１２】
プローブシェルは、取り外し可能な接続方式で電源シェルに固定接続される。プローブシェルが電源シェルに固定接続されると、導電針は、導電ドットに当接し、及びプローブシェルが電源シェルから切り離されると、導電針は、導電ドットから切り離される。
【００１３】
さらに、装置によって採用される取り外し可能な接続は、スナップ式接続、横挿入接続又はねじ式接続の１つである。
【００１４】
さらに、電源シェルとプローブシェルとの間の取り外し可能な接続としてスナップ式接続が使用される場合、電源シェルは、プローブシェルに接続される電源シェルの端部に突起を設けられ、検出シェルは、電源シェルに接続される検出シェルの端部に溝を設けられ、その溝は、突起が溝に挿入され得るように大きさにおいて突起に合わされ、導電針は、溝の底部に配置され、導電ドットは、突起の上端に配置され、及び導電針の配置位置は、突起が溝に挿入されると、導電針が導電ドットに当接することができるように導電ドットの配置に合わされ、スナップ爪は、溝の上端で溝の周囲に設けられ、及び突起は、突起の後端にスナップスロットを設けられ、スナップ爪は、スナップ爪がスナップスロットと係合され得るように形状及び大きさにおいてスナップスロットに合わされる。
【００１５】
さらに、電源シェルとプローブシェルとの間の取り外し可能な接続として横挿入接続が使用される場合、電源シェルは、プローブシェルに接続される電源シェルの端部にスライドレールを設けられ、プローブシェルは、電源シェルに接続されるプローブシェルの端部にスライドレールスロットを設けられ、そのスライドレールスロットは、スライドレールがスライドレールスロットに挿入され得るように形状及び大きさにおいてスライドレールに合わされ、導電針は、スライドレールスロットの中央に配置され、及び導電ドットは、スライドレールの中央に配置され、導電針の配置位置は、スライドレールがスライドレールスロットに挿入されると、導電針が導電ドットに当接することができるように導電ドットの配置位置に合わされ、スライドレールスロットは、その１つの端部にスナップ爪を設けられ、及びスライドレールは、その後端にスナップスロットを設けられ、スナップ爪は、スナップ爪がスナップスロットと係合され得るように形状、大きさ及び位置においてスナップスロットに合わされる。
【００１６】
さらに、電源シェルとプローブシェルとの間の取り外し可能な接続としてねじ式接続が使用される場合、電源シェルは、プローブシェルに接続される電源シェルの端部に溝を設けられ、プローブシェルは、電源シェルに接続されるプローブシェルの端部に突起を設けられ、雌ねじは、突起の外周に設けられ、及び雄ねじは、溝の壁に設けられ、雌ねじは、突起が溝と螺合され得るように雄ねじに合わされ、導電針は、突起の上部に配置され、導電ドットは、溝の底部に配置され、及び導電針の配置位置は、突起が溝に螺入されると、導電針が導電ドットに当接することができるように導電ドットの配置に合わされる。
【００１７】
従来技術における一体型生体電気インピーダンス認識装置は、大半が単一体として設計される。プローブ及びプローブシェルは、人間の皮膚に直接接触し、使用後に清浄及び消毒するのに簡便でないことから、使い捨ての消耗品とすることしかできない。装置は、使用後に廃棄されるため、製品全体も廃棄せざるを得ず、これは、大きい無駄をもたらすだけでなく、手術のコストも上げる。
【００１８】
本開示の分離型生体電気インピーダンス認識装置は、検出される組織の分布情報を得るように、トポロジカル電極を使用して電気インピーダンスを検出し、多チャネルデータを使用して手術のための全体映像を供給することができ、執刀医がねじのチャネルパスを判断することを補助する検出部位の３次元組織モデルを高解像度及び高感度に再構築し、それにより椎弓根の従来の手術における複数回にわたるビットの押込み及び引抜きを回避し、手術時間を節減し、手術の成功率を改善する。
【００１９】
従来技術における一体型生体電気インピーダンス認識装置と比較して、本開示は、分離型生体電気インピーダンス認識装置を採用し、検出モジュールは、使い捨て消耗品として使用され、使用後に直ちに廃棄される。残りの制御モジュールは、消毒後に引き続き使用することができる。一方では、製品の利用率が改善され、制御装置が何度も繰り返して使用され得、これは、使用コストを下げる。他方では、無駄が回避され、そのような製品は環境により優しい。
【図面の簡単な説明】
【００２０】
図面の簡単な説明
【図１】従来技術の一体型生体電気インピーダンス認識装置の概略構造図である。
【図２】本開示の第１の実施形態による分離型生体電気インピーダンス認識装置の全体的な概略構造図である。
【図３】本開示の第２の実施形態による分離型生体電気インピーダンス認識装置の概略構造図である。
【図４ａ】本開示の第３の実施形態による分離型生体電気インピーダンス認識装置の概略構造図である。
【図４ｂ】本開示の第３の実施形態による分離型生体電気インピーダンス認識装置の制御シェルの底面図である。
【図４ｃ】本開示の第３の実施形態による分離型生体電気インピーダンス認識装置の検出シェルの平面図である。
【図５ａ】本開示の第４の実施形態による分離型生体電気インピーダンス認識装置の概略構造図である。
【図５ｂ】本開示の第４の実施形態による分離型生体電気インピーダンス認識装置の側面図である。
【図６】本開示の第５の実施形態による分離型生体電気インピーダンス認識装置の概略構造図である。
【図７】本開示の第６の実施形態による分離型生体電気インピーダンス認識装置の概略構造図である。
【図８ａ】本開示の第７の実施形態による分離型生体電気インピーダンス認識装置の側面構造図である。
【図８ｂ】本開示の第７の実施形態による分離型生体電気インピーダンス認識装置の概略構造図である。
【図８ｃ】本開示の第７の実施形態による分離型生体電気インピーダンス認識装置の電源シェルの底面図である。
【図８ｄ】本開示の第７の実施形態による分離型生体電気インピーダンス認識装置のプローブシェルの平面図である。
【図９】本開示の第８の実施形態による分離型生体電気インピーダンス認識装置の概略構造図である。
【考案を実施するための形態】
【００２１】
実施形態の詳細な説明
本開示の一実施形態の目的、技術的解決策及び利点をより明瞭にするために、本開示が添付図面を参照して特定の実施形態と共に下記に詳細にさらに説明される。説明は、例示するものであり、本開示の範囲を限定することを意図されないことが理解される。さらに、公知の構造及び技術の説明は、本開示の概念を不必要に分かりにくくしないようにするために以下の説明において省略される。
【００２２】
図２を参照すると、図２は、本開示の第１の実施形態による分離型生体電気インピーダンス認識装置の概略構造図である。
【００２３】
図２に示すように、本開示は、制御モジュール１及び検出モジュール２を含む分離型生体電気インピーダンス認識装置を提供する。制御モジュール１及び検出モジュール２は、取り外し可能な接続方式で固定接続され、そのため、制御モジュール１は、複数回使用することができる。
【００２４】
制御モジュール１は、制御シェル２０と、制御シェル２０の内部に配置された制御処理回路２１とを含む。特に、制御シェル２０は、球、半球、変則的な球又は収容空間を有する他の幾何学形状の形態を取ることができる。制御処理回路２１は、収容空間に配置される。制御シェル２０は、導電ストリップ２０１を設けられる。導電ストリップ２０１は、制御シェル２０の外側に部分的に露出され、且つ制御シェル２０に部分的に埋め込まれる。導電ストリップ２０１は、少なくとも５つの導電ストリップ２０１で構成される。特に、各導電ストリップ２０１は、具体的には、銅、鉄及び他の導電合成材料であり得る導電材料で作製される。導電ストリップ２０１は、導電ワイヤによって制御処理回路２１に電気的に接続される。特に、制御処理回路２１は、プロセッサ、信号収集器、アラーム装置及び無線通信モジュールを含む。信号収集器は、電気インピーダンス特性の信号に対してアナログ／デジタル変換を行うために使用される。プロセッサは、アナログ／デジタル変換後、電気インピーダンス特性の信号に基づいて制御パラメータを生成するために使用される。アラーム装置は、制御パラメータに基づいて音又は光によって警報を出すために使用される。無線通信モジュールは、アナログ／デジタル変換後、電気インピーダンス特性の信号を伝送するために使用される。
【００２５】
検出モジュール２は、検出シェル２３、プローブ２３１及び電源２３２を含み、プローブ及び電源は、検出シェル２３の両端に配置される。検出シェル２３は、角錐、円筒、扁平形状、扁平湾曲ロッド形状又は収容空間を有する他の幾何学形状の形態を取ることができる。プローブ２３１は、検出シェル２３の外側に部分的に露出され、検出シェル２３に部分的に埋め込まれ、且つ反対側の端部で検出シェル２３内に配置された電源２３２に電気的に接続される。特に、電源２３２は、使い捨てバッテリ、リチウムバッテリ又は電力を供給する他の任意の電力ユニットとして構成することができる。プローブ２３１は、電気インピーダンス特性の信号を収集するために使用される。検出シェル２３の外側に露出されたプローブ２３１の先端は、先細り又は平板であり得る。
【００２６】
導電針群２３３は、電源２３２が設けられた検出シェル２３の１つの端部に設けられ、導電針群２３３は、検出シェル２３の外側に部分的に露出され、且つ検出シェル２３に部分的に埋め込まれ、検出シェル２３に埋め込まれた導電針群２３３の端部は、電源２３２に電気的に接続される。導電針群２３３は、少なくとも５つの導電針で構成される。特に、各導電針は、具体的には、銅、鉄又は他の導電合成材料であり得る導電材料で作製することができる。
【００２７】
制御シェル２０は、取り外し可能な接続方式で検出シェル２３に固定接続される。制御シェル２０が検出シェル２３に固定接続されると、導電針群２３３は、導電ストリップ２０１に当接し、装置は、作動し始める。制御シェル２０が検出シェル２３から切り離されると、導電針群２３３は、導電ストリップ２０１から切り離され、装置は、作動を止める。
【００２８】
制御シェル２０と検出シェル２３との間の取り外し可能な接続は、スナップ式接続、横挿入接続又はねじ式接続の１つである。
【００２９】
本開示は、制御モジュール１が取り外し可能な接続方式で検出モジュール２に固定接続されるように構成される分離型生体電気インピーダンス認識装置を提供する。従来技術の制御モジュール１及び検出モジュール２の一体化した取り外しできない接続と比較して、取り外し可能な接続は、以下の利益をもたらす。
【００３０】
第１に、制御モジュール１の使用率が高くなり、使用コストが下がり、無駄がなくなり、環境が保護され、制御モジュール１及び検出モジュール２は、手術中に手術を完了させるために固定接続される。手術が完了した後、制御モジュール１は、検出モジュール２から切り離され、制御モジュール１は、後に新たな検出モジュール２と共に使用するために保管され、検出モジュール２のみが廃棄される（手術部位と接触した医療装置は、外科的に清潔な状態を保つ必要があるために使い捨てとしなければならない）。
【００３１】
第２に、様々な仕様の検出モジュール２を制御モジュール１に適合させることができ、手術コスト及び製造コストが下がり、様々な仕様の検出モジュール２を制御モジュール１と組み合わせて使用することができ、病院は、わずかな数量のみの制御モジュール１を購入することで様々な仕様の生体電気インピーダンス認識装置を構築することができ、これは、手術コストを大幅に節減する。さらに、従来技術では、検出モジュール２は、制御モジュール１から取り外すことができないため、製造時、制御モジュール１及び検出モジュール２は、電気インピーダンス認識装置ごとに一体的に製造されなければならない。様々な仕様の検出モジュール２がある場合（外科的な必要性のために様々な形状及び大きさのプローブ２３１、電源２３２及び検出シェル２３が必要とされることがある）、より多くの製造ライン及び製造作業場を使用して様々な仕様の製造を行わなければならない。本開示では、制御モジュール１及び検出モジュール２は、着脱式に切り離すことができるため、制御モジュール１及び検出モジュール２は、製造工程において別々に製造することができ、それにより製造ライン及び製造作業場を節減する。
【００３２】
第３に、本開示は、検出モジュール２と制御モジュール１との間の３つの異なる種類の取り外し可能な接続を提供することができ、これにより様々な執刀医の手術上の癖に合わせることができ、より人本主義的である。一体設計の場合、装置全体は、手術完了後に廃棄することのみができ、これは、大きい無駄をもたらし、手術のコストを大幅に増大させる。本開示によって提供される分離型生体電気インピーダンス認識装置は、この問題を回避する。さらに、様々な接続を採用することで、様々な外科的要求を満たすために、様々な検出モジュール２を交換できるだけでなく執刀医の手術パターンを満足させることもできる。
【００３３】
図３を参照すると、図３は、本開示の第２の実施形態による分離型生体電気インピーダンス認識装置の概略構造図である。
【００３４】
図３に示すように、本開示の実施形態では、分離型生体電気インピーダンス認識装置が制御シェル２０と検出シェル２３との間の取り外し可能な接続としてスナップ式接続を採用する場合、制御シェル２０は、検出シェル２３に接続される制御シェル２０の端部に突起２０２を設けられる。検出シェル２３は、制御シェル２０に接続される検出シェル２３の端部に溝２３４を設けられる。溝２３４は、突起２０２が溝２３４に挿入され得るように大きさ及び形状において突起２０２に合わされる。溝２３４及び突起２０２は、円筒形、円錐形又は他の幾何学形状であり得る。
【００３５】
導電針群２３３は、溝２３４の底部に配置され、導電ストリップ２０１は、突起２０２の上端に配置され、導電針群２３３の配置位置は、突起２０２が溝２３４に挿入されると、導電針群２３３が導電ストリップ２０１に当接することができるように導電ストリップ２０１の配置に合わされる。少なくとも２つのスナップ爪２３５が溝２３４の上端の周囲に配置され、少なくとも２つのスナップスロット２０３が突起２０２の後端に設けられる。スナップ爪２３５は、スナップスロット２０３と係合され得るように大きさ及び形状においてスナップスロット２０３に合わされる。特に、スナップ爪２３５は、少なくとも１つのスナップ歯を設けられ、このスナップ歯は、形状及び大きさにおいてスナップスロット２０３に合わされる。
【００３６】
突起２０２は、溝２３４に挿入され、スナップ爪２３５は、スナップスロット２０３に挿入され、導電針群２３３は、導電ストリップ２０１に当接し、それにより、装置は、電源を入れられて作動し始めることができる。使用後、スナップ爪は、スナップスロット２０３から切り離され、突起２０２は、溝２３４から引き抜かれ、導電針群２３３は、導電ストリップ２０１から切り離され、それにより、装置は、電源を切られ、作動を止める。
【００３７】
シリコーン封止リング２６０は、液体がシェルの内部に入ることを防止して手術処置の安全を保証するために導電針群２３３の周囲に配置される。
【００３８】
操作するのに簡単であり且つ使い勝手がよいようにスナップ式接続が採用され、それにより接続に要する時間を節減する。突起２０２を溝２３４に挿入することである程度の固定効果が得られ、それにより手術時に接続部分が緩むことを防止し、手術事故を回避する。
【００３９】
図４ａ、４ｂ、４ｃを参照すると、これらの図は、本開示の第３の実施形態による分離型生体電気インピーダンス認識装置の概略構造図である。
【００４０】
図４ａ、４ｂ、４ｃに示すように、本開示の実施形態では、分離型生体電気インピーダンス認識装置が制御シェル２０と検出シェル２３との間の取り外し可能な接続として横挿入接続を使用する場合、制御シェル２０は、検出シェル２３に接続される制御シェル２０の端部に少なくとも１つのスライドレール２０４を設けられ、検出シェル２３は、制御シェル２０に接続される検出シェル２３の端部に少なくとも１つのスライドレールスロット２３６を設けられる。スライドレールスロット２３６は、スライドレール２０４がスライドレールスロット２３６に挿入され得るようにスライドレール２０４に合わされる。
【００４１】
導電針群２３３は、スライドレールスロット２３６の底部中央に配置され、導電ストリップ２０１は、スライドレール２０４の上部中央に配置される。導電針群２３３の配置位置及び数量は、スライドレール２０４がスライドレールスロット２３６に挿入されると、導電針群２３３が導電ストリップ２０１に当接することができるように導電ストリップ２０１の配置に合わされる。
【００４２】
スライドレールスロット２３６は、１つの端部に少なくとも１つのスナップ爪２３５を設けられる一方、スライドレール２０４は、１つの端部に少なくとも１つのスナップスロット２０３を設けられる。スナップ爪２３５は、スナップスロット２０３に係合され得るように形状、大きさ及び位置においてスナップスロット２０３に合わされる。
【００４３】
スライドレール２０４がスライドレールスロット２３６に滑り込むと、スナップ爪２３５は、スナップスロット２０３にスナップ式に嵌め込まれ、導電針群２３３は、導電ストリップ２０１に当接し、それにより、装置は、使用するために電源を入れられ得る。装置の使用後、スナップ爪２３５は、スナップスロット２０３から切り離され、スライドレール２０４は、スライドレールスロット２３６から滑り出て、導電針群２３３は、導電ストリップ２０１から切り離され、装置は、作動を止める。
【００４４】
シリコーン封止リング２６０は、液体がシェルの内部に入ることを防止してきわめてより安全な手術処置を保証するために導電針群２３３の周囲に配置される。
【００４５】
一方では、横挿入接続を通じて、スライドレール２０４及びスライドレールスロット２３６による固定に加えて、サイドバックルが固定のために設計され、これは、より良好な固定効果をもたらす。他方では、スライドレール２０４及びスライドレールスロット２３６の設計は、検出シェル２３及び制御シェル２０を互いにより整列及び係合し易くする。
【００４６】
図５ａ及び図５ｂを参照すると、これらの図は、本開示の第４の実施形態による分離型生体電気インピーダンス認識装置の概略構造図である。
【００４７】
図５ａ及び図５ｂに示すように、本開示の実施形態では、分離型生体電気インピーダンス認識装置が制御シェル２０と検出シェル２３との間の取り外し可能な接続としてねじ式接続を使用する場合、制御シェル２０は、検出シェル２３に接続される制御シェル２０の端部に環状突起２０５を設けられる。検出シェル２３は、制御シェル２０に接続される検出シェル２３の端部に環状溝２３７を設けられる。雌ねじ２０６は、環状突起２０５の外壁に設けられる一方、雄ねじ２０８は、環状溝２３７の外壁に設けられる。雌ねじ２０６は、環状突起２０５が環状溝２３７と螺合され得るように雄ねじ２３８に合わされる。
【００４８】
導電針群２３３は、環状溝２３７の中央に配置され、環状の導電ストリップ２０１は、環状突起２０５の中央に配置される。導電針群２３３の配置位置は、環状突起２０５が環状溝２３７と螺合されると、導電針群２３３が導電ストリップ２０１に当接することができるように導電ストリップ２０１の配置に合わされる。特に、導電ストリップ２０１は、環状形状であり、１つのリングが他のリングの内側にあるように配置される。シリコーン封止リング２６０は、使用時、液体がシェルの内部に入ることを防止して手術処置をはるかにより安全にするために環状溝２３７の全周に設けられる。
【００４９】
環状突起２０５は、環状溝２３７に螺入され、それにより、導電針群２３３は、導電ストリップ２０１に当接し、装置は、使用するために電源を入れられ得る。使用後、環状突起２０５は、環状溝２３７から螺退され、導電針群２３３は、導電ストリップ２０１から切り離され、装置は、電源を切られる。検出モジュール２は、使用後に廃棄され、制御モジュール１は、次に使用するために消毒して保管される。
【００５０】
一方では、ねじ式接続を使用することで設計が単純且つ使い勝手がよくなり、コストが下がる。他方では、ねじ式結合で使用される部品がより少なく、使用するのに好都合である。
【００５１】
図６を参照すると、図６は、本開示の第５の実施形態による分離型生体電気インピーダンス認識装置の概略構造図である。
【００５２】
図６に示すように、本開示の実施形態では、分離型生体電気インピーダンス認識装置の検出シェル２３は、電源シェル２４及びプローブシェル２５を含み、電源シェル２４及びプローブシェル２５は、取り外し可能な接続方式で固定接続され、それにより電源シェル２４を複数回再使用することができる。
【００５３】
電源は、電源シェル２４の内部に設けられる。電源シェル２４は、球、半球、変則的な球又は収容空間を有する他の幾何学形状の形態を取ることができる。特に、電源２３２は、使い捨てバッテリ、リチウムバッテリ又は電力を供給する他の電源装置として構成することができる。電源シェル２４は、電源シェル２４の外側に部分的に露出され、且つ電源シェル２４に部分的に埋め込まれた導電ドット２４０を設けられる。導電ドット２４０は、具体的には、銅、鉄又は他の導電合成材料であり得る導電材料で作製することができる。導電ドット２４０は、導電ワイヤによって電源２３２に電気的に接続される。
【００５４】
プローブ２３１の１つの端部は、プローブシェル２５の１つの端部に埋め込まれ、プローブ２３１の他の端部は、プローブシェル２５の外側に露出される。プローブは、電気インピーダンス特性の信号を収集するために使用される。プローブシェル２５の外側に露出されたプローブ２３１の先端は、先細り又は平板であり得る。
【００５５】
プローブシェル２５は、その内部に、プローブ２３１を受け入れる収容チャンバを備え、プローブ２３１の外側に覆設されている。プローブシェル２５は、プローブ２３１から離れたプローブシェル２５の端部に導電針２５０を設けられる。導電針２５０の１つの端部は、プローブに電気的に接続され、他の端部は、導電ドット２４０に当接することで電源に電気的に接続される。特に、プローブシェル２５は、円筒形、扁平形、扁平湾曲ロッド形状又は他の幾何学形状であり得る。
【００５６】
電源シェル２４は、取り外し可能な接続方式でプローブシェル２５に固定接続される。電源シェル２４がプローブシェル２５に固定接続されると、導電針２５０は、導電ドット２４０に当接する。電源シェル２４がプローブシェル２５から切り離されると、導電針２５０は、導電ドット２４０から切り離される。
【００５７】
電源シェル２４とプローブシェル２５との間の取り外し可能な接続は、スナップ式接続、横挿入接続又はねじ式接続の１つである。
【００５８】
本開示の分離型生体電気インピーダンス認識装置は、検出シェル２３を２つの部分、すなわち電源シェル２４及びプローブシェル２５に分割する。電源シェル２４及びプローブシェル２５は、共に製造コストが安く、使用後に直ちに廃棄することができる使い捨ての消耗品である。しかし、電源シェル２４が一度の使用後に消耗しきることはあり得ないことであり、そのため、本開示は、電源シェル２４を数回にわたって繰り返して使用することができるようにする。一方では電源シェル２４の利用率が高くなり、他方では無駄がなくなり、製造コストが下がる。
【００５９】
図７を参照すると、図７は、本開示の第６の実施形態による分離型生体電気インピーダンス認識装置の概略構造図である。
【００６０】
図７に示すように、本開示の実施形態では、分離型生体電気インピーダンス認識装置が電源シェル２４とプローブシェル２５との間の取り外し可能な接続としてスナップ式接続を採用する場合、電源シェル２４は、プローブシェル２５に接続される電源シェル２４の端部に突起２０２を設けられる。プローブシェル２５は、電源シェル２４に接続されるプローブシェル２５の端部に溝２３４を設けられる。溝２３４は、突起２０２が溝２３４に挿入され得るように大きさにおいて突起２０２に合わされる。溝２３４及び突起２０２は、円筒形、多角柱又は他の幾何学形状であり得る。
【００６１】
導電針２５０は、溝２３４の底部に配置される一方、導電ドット２４０は、突起２０２の上端に配置される。導電針２５０の配置位置は、突起２０２が溝２３４に挿入されると、導電針２５０が導電ドット２４０に当接することができるように導電ドット２４０の配置に合わされる。少なくとも２つのスナップ爪２３５が溝２３４の上端の周囲に配置され、少なくとも２つのスナップスロット２０３が突起２０２の後端に設けられる。スナップ爪２３５は、スナップスロット２０３に係合され得るように形状及び大きさにおいてスナップスロット２０３に合わされる。特に、スナップ爪２３５は、それぞれ少なくとも１つのスナップ歯を設けられ、このスナップ歯は、形状においてそれぞれのスナップスロット２０３に合わされる。
【００６２】
突起２０２は、溝２３４に挿入され、スナップ爪２３５は、スナップスロット２０３にスナップ式に嵌め込まれる。導電針２５０は、導電ドット２４０に当接する。装置は、電源を入れられて作動し始めることができる。使用後、スナップ爪は、スナップスロット２０３から切り離され、突起２０２は、溝２３４から引き抜かれ、導電針２５０は、導電ドット２４０から切り離され、装置は、電源を切られ、作動を止める。
【００６３】
シリコーン封止リング２６０は、液体がシェルの内部に入ることを防止して手術処置の安全を保証するために導電針２５０の周囲に配置される。
【００６４】
操作するのに簡単であり且つ使い勝手がよいようにスナップ式接続が採用され、それにより接続時間を節減する。突起２０２を溝２３４に挿入することは、固定という認識の機能を有し、それにより手術時に接続部分が不安定になることを回避し、手術事故を回避する。
【００６５】
図８ａ、８ｂ、８ｃ、８ｄを参照すると、これらの図は、本開示の第７の実施形態による分離型生体電気インピーダンス認識装置の概略構造図である。
【００６６】
図８ａ、８ｂ、８ｃ、８ｄに示すように、本開示の実施形態では、分離型生体電気インピーダンス認識装置が電源シェル２４とプローブシェル２５との間の取り外し可能な接続として横挿入接続を使用する場合、電源シェル２４は、プローブシェル２５に接続される電源シェル２４の端部に少なくとも１つのスライドレール２０４を設けられ、プローブシェル２５は、電源シェル２４に接続されるプローブシェル２５の端部に少なくとも１つのスライドレールスロット２３６を設けられる。スライドレールスロット２３６は、スライドレール２０４がスライドレールスロット２３６に挿入され得るように形状、大きさ及び数量においてスライドレール２０４に合わされる。
【００６７】
導電ドット２４０は、スライドレール２０４の表面の中央に配置され、導電針２５０は、スライドレールスロット２３６の表面の中央に配置される。導電針２５０の配置位置は、スライドレール２０４がスライドレールスロット２３６に挿入されると、導電針２５０が導電ドット２４０に当接することができるように導電ドット２４０の配置に合わされる。
【００６８】
スライドレールスロット２３６は、端部にスナップ爪２３５を設けられる。スライドレール２０４は、その後端にスナップスロット２０３を設けられる。スナップ爪２３５は、スナップスロット２０３に係合され得るように形状、大きさ及び位置においてスナップスロット２０３に合わされる。
【００６９】
スライドレール２０４は、スライドレールスロット２３６に滑り込み、スナップ爪２３５は、スナップスロット２０３にスナップ式に嵌め込まれる。導電針２５０は、導電ドット２４０に当接し、装置は、使用するために電源を入れられ得る。使用後、スナップ爪２３５は、スナップスロット２０３から切り離され、スライドレール２０４は、スライドレールスロット２３６から滑り出て、導電針２５０は、導電ドット２４０から切り離され、装置は、作動を止める。
【００７０】
シリコーン封止リング２６０は、液体がシェルの内部に入ることを防止して手術処置がはるかにより安全であることを保証するために導電針２５０の周囲に配置される。
【００７１】
一方では、横挿入接続を通じて、スライドレール２０４及びスライドレールスロット２３６による固定に加えて、サイドバックルも固定のために設計され、これは、より良好な固定効果をもたらす。他方では、スライドレール２０４及びスライドレールスロット２３６の構成は、電源シェル２４及びプローブシェル２５が整列及び係合することをより容易にする。
【００７２】
図９を参照すると、図９は、本開示の第８の実施形態による分離型生体電気インピーダンス認識装置の概略構造図である。
【００７３】
図９に示すように、本開示の実施形態では、分離型生体電気インピーダンス認識装置が電源シェル２４とプローブシェル２５との間の取り外し可能な接続としてねじ式接続を使用する場合、電源シェル２４は、プローブシェル２５に接続される電源シェル２４の端部に溝２３４を設けられ、プローブシェル２５は、電源シェル２４に接続されるプローブシェル２５の端部に突起２０２を設けられる。雌ねじ２０６は、突起２０２の周囲に設けられ、雄ねじ２３８は、溝２３４の壁に設けられる。雄ねじ２３８は、突起２０２が溝２３４と螺合され得るように雌ねじ２０６に合わされる。
【００７４】
導電針２５０は、突起２０２の底部に配置され、導電ドット２４０は、溝２３４の上端に配置される。導電針２５０の配置位置は、突起２０２が溝２３４に螺入されると、導電針２５０が導電ドット２４０に当接することができるように導電ドット２４０の配置に合わされる。
【００７５】
シリコーン封止リング２６０は、液体がシェルの内部に入ることを防止して手術処置をはるかにより安全にするために導電針２５０の周囲に配置される。
【００７６】
突起２０２は、溝２３４に螺入され、それにより、導電針２５０は、導電ドット２４０に当接し、装置は、使用するために電源を入れられ得る。使用後、突起２０２は、溝２３４から螺退され、導電針２５０は、導電ドット２４０から切り離され、装置は、電源を切られる。プローブシェル２５は、使用後に廃棄され、電源シェル２４及び制御シェル２０は、次に使用するために消毒して保管される。
【００７７】
一方では、ねじ式接続を使用することで構造が単純且つ使い勝手がよくなり、コストが下がる。他方では、ねじ式結合で使用される部品がより少なく、使用するのに好都合である。
【００７８】
本明細書の説明において、「一実施形態」、「代替実施形態」、「任意の実施形態」、「例」、「特定の例」又は「一部の例」などの表示又は表現は、実施形態又は例と共に説明した特定の特徴、構造、材料又は特性が本開示の少なくとも１つの実施形態又は例に含まれることを意味する。本明細書では、上記用語に関する概略的な説明は、必ずしも同じ実施形態又は例を指すとは限らない。さらに、説明した特定の特徴、構造、材料又は特性は、任意の１つ又は複数の実施形態又は例において適切な方式で組み合わせることができる。
【００７９】
本開示の上記の実施形態は、単に例示すること又は本開示の原理を説明することを意図され、本開示を限定することを意図されないことが理解されるべきである。したがって、本開示の趣旨及び範囲から逸脱することなくなされる任意の修正形態、均等な置換形態、改良形態などは、本開示の範囲内に含まれることを意図される。加えて、本開示の添付の特許請求の範囲は、そのような修正形態並びに添付の請求項の範囲及び境界に入る修正形態のすべて又は添付の請求項の範囲及び境界の均等物を包含することを意図される。
【符号の説明】
【００８０】
参照符号
１  制御モジュール
２０  制御シェル
２１  制御処理回路
２０１  導電ストリップ
２  検出モジュール
２３  プローブシェル
２３１  プローブ
２３２  電源
２３３  導電針群
２０２  突起
２３４  溝
２０３  スナップスロット
２３５  スナップ爪
２０４  スライドレール
２３６  スライドレールスロット
２０５  環状突起
２３７  環状溝
２０６  雌ねじ
２３８  雄ねじ
２４  電源シェル
２４０  導電ドット
２５  プローブシェル
２５０  導電針
２６０  シリコーン封止リング
【図１】
0003226058.tif 000003
【図２】
0003226058.tif 000004
【図３】
0003226058.tif 000005
【図４ａ】
0003226058.tif 000006
【図４ｂ】
0003226058.tif 000007
【図４ｃ】
0003226058.tif 000008
【図５ａ】
0003226058.tif 000009
【図５ｂ】
0003226058.tif 000010
【図６】
0003226058.tif 000011
【図７】
0003226058.tif 000012
【図８ａ】
0003226058.tif 000013
【図８ｂ】
0003226058.tif 000014
【図８ｃ】
0003226058.tif 000015
【図８ｄ】
0003226058.tif 000016
【図９】
0003226058.tif 000017
【手続補正書】
【提出日】令和1年8月19日(2019.8.19)
【手続補正１】
【補正対象書類名】実用新案登録請求の範囲
【補正対象項目名】全文
【補正方法】変更
【補正の内容】
【実用新案登録請求の範囲】
【請求項１】
分離型生体電気インピーダンス認識装置であって、
制御シェル（２０）と、前記制御シェル（２０）の内部に配置された制御処理回路（２１）とを含む制御モジュール（１）であって、前記制御シェル（２０）は、該制御シェルから外に部分的に露出され且つ前記制御処理回路（２１）に電気的に接続される導電ストリップ（２０１）を設けられる、制御モジュール（１）と、
取り外し可能な接続方式で前記制御モジュール（１）に固定接続される検出モジュール（２）であって、検出シェル（２３）と、前記検出シェル（２３）の一端部に埋め込まれたプローブ（２３１）と、前記検出シェル（２３）の他端部に埋め込まれた電源（２３２）とを含む、検出モジュール（２）と
を含み、
前記プローブ（２３１）は、電気インピーダンス特性の信号を収集するように、前記検出シェル（２３）から外に部分的に露出され、
前記検出シェル（２３）は、前記プローブ（２３１）の外側に覆設されるように、該検出シェル（２３）の中に前記プローブ（２３１）を受け入れる収容チャンバを有し、且つ前記検出シェル（２３）の前記プローブ（２３１）から離れた端部において、前記電源（２３２）を受け入れる電源収容チャンバを有し、
前記検出シェル（２３）は、前記電源（２３２）を設けられた端部のシェルに導電針群（２３３）を設けられ、前記導電針群（２３３）は、前記シェルから外に部分的に露出され、及び前記導電針群（２３３）の１つの端部は、前記電源（２３２）に電気的に接続され、
前記制御シェル（２０）は、取り外し可能な接続方式で前記検出シェル（２３）に固定接続され、前記制御シェル（２０）が前記検出シェル（２３）に固定接続されると、前記導電針群（２３３）は、前記導電ストリップ（２０１）に当接し、前記制御シェル（２０）が前記検出シェル（２３）から切り離されると、前記導電針群（２３３）は、前記導電ストリップ（２０１）から切り離され、
前記検出シェル（２３）は、電源シェル（２４）及びプローブシェル（２５）を含み、前記電源（２３２）は、前記電源シェル（２４）内に配置され、前記電源シェル（２４）は、前記電源シェル（２４）から外に部分的に露出される導電ドット（２４０）を設けられ、及び前記導電ドット（２４０）は、前記電源（２３２）に電気的に接続され、
前記プローブシェル（２５）は、前記電源シェル（２４）に接続される前記プローブシェル（２５）の端部において、前記プローブシェル（２５）から外に部分的に露出される導電針（２５０）を設けられ、前記導電針（２５０）の１つの端部は、前記プローブ（２３１）に電気的に接続され、
前記プローブシェル（２５）は、取り外し可能な接続方式で前記電源シェル（２４）に固定接続され、前記プローブシェル（２５）が前記電源シェル（２４）に固定接続されると、前記導電針（２５０）は、前記導電ドット（２４０）に当接し、前記プローブシェル（２５）が前記電源シェル（２４）から切り離されると、前記導電針（２５０）は、前記導電ドット（２４０）から切り離される、分離型生体電気インピーダンス認識装置。
【請求項２】
前記制御シェル（２０）と前記検出シェル（２３）との間の前記取り外し可能な接続は、スナップ式接続、横挿入接続、ねじ式接続の中の１つである、請求項１に記載の装置。
【請求項３】
前記制御シェル（２０）と前記検出シェル（２３）との間の前記取り外し可能な接続として前記スナップ式接続が使用される場合、
前記制御シェル（２０）は、前記検出シェル（２３）に接続される前記制御シェル（２０）の端部に突起（２０２）を設けられ、
前記検出シェル（２３）は、前記制御シェル（２０）に接続される前記検出シェル（２３）の端部に溝（２３４）を設けられ、
前記溝（２３４）は、前記突起（２０２）が前記溝（２３４）に挿入され得るように大きさにおいて前記突起（２０２）に合わされ、
前記導電針群（２３３）は、前記溝（２３４）の底部に配置され、前記導電ストリップ（２０１）は、前記突起（２０２）の上端に配置され、及び前記導電針群（２３３）の配置位置は、前記突起（２０２）が前記溝（２３４）に挿入されると、前記導電針群（２３３）が前記導電ストリップ（２０１）に当接することができるように前記導電ストリップ（２０１）の前記配置に合わされ、
前記制御シェル（２０）は、前記検出シェル（２３）に接続される端部で前記制御シェル（２０）の周囲にスナップスロット（２０３）を設けられ、
前記検出シェル（２３）は、前記制御シェル（２０）に接続される端部で前記検出シェル（２３）の周囲にスナップ爪（２３５）を設けられ、及び
前記スナップ爪（２３５）は、前記スナップ爪（２３５）が前記スナップスロット（２０３）と係合され得るように形状及び大きさにおいて前記スナップスロット（２０３）に合わされる、請求項２に記載の装置。
【請求項４】
前記制御シェル（２０）と前記検出シェル（２３）との間の前記取り外し可能な接続として前記横挿入接続が使用される場合、
前記制御シェル（２０）は、前記検出シェル（２３）に接続される前記制御シェル（２０）の端部にスライドレール（２０４）を設けられ、
前記検出シェル（２３）は、前記制御シェル（２０）に接続される前記検出シェル（２３）の端部にスライドレールスロット（２３６）を設けられ、
前記スライドレール（２０４）は、前記スライドレール（２０４）が前記スライドレールスロット（２３６）にスナップ式に嵌め込まれ得るように大きさ及び形状において前記スライドレールスロット（２３６）に合わされ、
前記導電針群（２３３）は、前記スライドレールスロット（２３６）の底部に配置され、及び前記導電ストリップ（２０１）は、前記スライドレール（２０４）の上部に配置され、前記導電針群（２３３）の配置位置は、前記スライドレール（２０４）が前記スライドレールスロット（２３６）に挿入されると、前記導電針群（２３３）が前記導電ストリップ（２０１）に当接することができるように前記導電ストリップ（２０１）の前記配置に合わされ、及び
前記スライドレールスロット（２３６）は、その１つの端部にスナップ爪（２３５）を設けられ、及び前記スライドレール（２０４）は、その１つの端部にスナップスロット（２０３）を設けられ、前記スナップ爪（２３５）は、前記スナップ爪（２３５）が前記スナップスロット（２０３）と係合され得るように形状、大きさ及び位置において前記スナップスロット（２０３）に合わされる、請求項２に記載の装置。
【請求項５】
前記制御シェル（２０）と前記検出シェル（２３）との間の前記取り外し可能な接続として前記ねじ式接続が使用される場合、
前記制御シェル（２０）は、前記検出シェル（２３）に接続される前記制御シェル（２０）の端部に環状突起（２０５）を設けられ、
前記検出シェル（２３）は、前記制御シェル（２０）に接続される前記検出シェル（２３）の端部に環状溝（２３７）を設けられ、
前記環状突起（２０５）は、その外壁に雌ねじ（２０６）を設けられ、及び前記環状溝（２３７）は、その外壁に雄ねじ（２３８）を設けられ、前記雌ねじ（２０６）は、前記環状突起（２０５）が前記環状溝（２３７）と螺合され得るように前記雄ねじ（２３８）に合わされ、
前記導電針群（２３３）は、前記環状溝（２３７）の中央に配置され、及び前記環状導電ストリップ（２０１）は、前記環状突起（２０５）の中央に配置され、前記導電針群（２３３）の配置位置は、前記環状突起（２０５）が前記環状溝（２３７）と螺合されると、前記導電針群（２３３）が前記導電ストリップ（２０１）に当接することができるように前記導電ストリップ（２０１）の前記配置に合わされる、請求項２に記載の装置。
【請求項６】
前記電源シェル（２４）と前記プローブシェル（２５）との間の前記接続は、スナップ式接続、横挿入接続、ねじ式接続の中の１つである、請求項１〜５のいずれか一項に記載の装置。
【請求項７】
前記電源シェル（２４）と前記プローブシェル（２５）との間の前記取り外し可能な接続として前記スナップ式接続が使用される場合、
前記電源シェル（２４）は、前記プローブシェル（２５）に接続される前記電源シェル（２４）の端部に突起（２０２）を設けられ、
前記プローブシェル（２５）は、前記電源シェル（２４）に接続される前記プローブシェル（２５）の端部に溝（２３４）を設けられ、
前記溝（２３４）は、前記突起（２０２）が前記溝（２３４）に挿入され得るように大きさにおいて前記突起（２０２）に合わされ、
前記導電針（２５０）は、前記溝（２３４）の前記底部に配置され、前記導電ドット（２４０）は、前記突起（２０２）の前記上端に配置され、及び前記導電針（２５０）の配置位置は、前記突起（２０２）が前記溝（２３４）に挿入されると、前記導電針（２５０）が前記導電ドット（２４０）に当接することができるように前記導電ドット（２４０）の前記配置に合わされ、及び
前記溝（２３４）は、その上端で前記溝（２３４）の周囲にスナップ爪（２３５）を設けられ、及び前記突起（２０２）は、前記突起（２０２）の後端にスナップスロット（２０３）を設けられ、前記スナップ爪（２３５）は、前記スナップ爪（２３５）が前記スナップスロット（２０３）と係合され得るように大きさ及び形状において前記スナップスロット（２０３）に合わされる、請求項６に記載の装置。
【請求項８】
前記電源シェル（２４）と前記プローブシェル（２５）との間の前記取り外し可能な接続として前記横挿入接続が使用される場合、
前記電源シェル（２４）は、前記プローブシェル（２５）に接続される前記電源シェル（２４）の端部にスライドレール（２０４）を設けられ、
前記プローブシェル（２５）は、前記電源シェル（２４）に接続される前記プローブシェル（２５）の端部にスライドレールスロット（２３６）を設けられ、
前記スライドレールスロット（２３６）は、前記スライドレール（２０４）が前記スライドレールスロット（２３６）に挿入され得るように大きさ及び位置において前記スライドレール（２０４）に合わされ、
前記導電針（２５０）は、前記スライドレールスロット（２３６）の中央に配置され、及び前記導電ドット（２４０）は、前記スライドレール（２０４）の中央に配置され、前記導電針（２５０）の配置位置は、前記スライドレール（２０４）が前記スライドレールスロット（２３６）に挿入されると、前記導電針（２５０）が前記導電ドット（２４０）に当接することができるように前記導電ドット（２４０）の配置位置に合わされ、及び
前記スライドレールスロット（２３６）は、その１つの端部にスナップ爪（２３５）を設けられ、及び前記スライドレール（２０４）は、その後端にスナップスロット（２０３）を設けられ、前記スナップ爪（２３５）は、前記スナップ爪（２３５）が前記スナップスロット（２０３）と係合され得るように形状、大きさ及び位置において前記スナップスロット（２０３）に合わされる、請求項６に記載の装置。
【請求項９】
前記電源シェル（２４）と前記プローブシェル（２５）との間の前記取り外し可能な接続として前記ねじ式接続が使用される場合、
前記電源シェル（２４）は、前記プローブシェル（２５）に接続される前記電源シェル（２４）の端部に溝（２３４）を設けられ、
前記プローブシェル（２５）は、前記電源シェル（２４）に接続される前記プローブシェル（２５）の端部に突起（２０２）を設けられ、
前記突起（２０２）は、その外周に雌ねじ（２０６）を設けられ、及び前記溝（２３４）は、その壁に雄ねじ（２３８）を設けられ、前記雌ねじ（２０６）は、前記突起（２０２）が前記溝（２３４）と螺合され得るように前記雄ねじ（２３８）に合わされ、前記導電針（２５０）は、前記突起（２０２）の上部に配置され、前記導電ドット（２４０）は、前記溝（２３４）の前記底部に配置され、及び前記導電針（２５０）の配置位置は、前記突起（２０２）が前記溝（２３４）に螺入されると、前記導電針（２５０）が前記導電ドット（２４０）に当接することができるように前記導電ドット（２４０）の前記配置に合わされる、請求項６に記載の装置。